(57)【要約】      （修正有）【課題】印刷機オペレータに対する操作ガイドを最適化し、印刷機における停止時間を減少させ、印刷機における操作処理を最適化する印刷機を提供する。【解決手段】印刷機１は、印刷機構２と、計算機６と、表示装置５と、を備えており、印刷機構２は、計算機６に接続されている光信号装置７を有し、計算機６は、表示装置５に接続されている。計算機６により、表示装置５における印刷機１の動作状態の表現が、印刷機構２の光信号装置７における動作状態の表示に色を適合させて行われるように印刷機１が構成されている。【選択図】図１
0003228558.tif 000002
【実用新案登録請求の範囲】
【請求項１】
印刷機構（２）と、計算機（６）と、表示装置（５）と、を備えた印刷機（１）であって、
前記印刷機構（２）は、前記計算機（６）に接続されている光信号装置（７）を有し、  前記計算機（６）は、前記表示装置（５）に接続されている、印刷機（１）において、
前記計算機（６）により、前記表示装置（５）における前記印刷機（１）の動作状態の表現が前記印刷機構（２）の前記光信号装置（７）における前記動作状態の表示に色を適合させて行われるように、前記印刷機（１）が構成されていることを特徴とする、
印刷機（１）。
【請求項２】
前記印刷機構（２）における前記光信号装置（７）により、同時または交互に複数の前記動作状態が異なる色で表示されることを特徴とする、
請求項１記載の印刷機（１）。
【請求項３】
前記光信号装置（７）は、多色ＬＥＤストリップライトであることを特徴とする、
請求項１または２記載の印刷機（１）。
【請求項４】
少なくとも１つのマスクを備えたユーザインタフェース（８）は、前記表示装置（５）に表示され、
前記マスクの１つの領域に時間線（１２）が設けられており、前記時間線（１２）により、前記印刷機（１）に対応付けられている、印刷ジョブキュー内の印刷ジョブが時系列に表示されることを特徴とする、
請求項１から３までのいずれか１項記載の印刷機（１）。
【請求項５】
前記ユーザインタフェース（８）には、実行中の印刷ジョブの性質と、次の印刷ジョブの性質と、を表示する領域を有するマスクが含まれており、
前記実行中の印刷ジョブと前記次の印刷ジョブとの間のジョブ切替の処理のための提案であって、オペレータによる手動の介入が含まれる提案は、前記計算機（６）によって前記ユーザインタフェース（８）に表示されることを特徴とする、
請求項４記載の印刷機（１）。
【請求項６】
前記ジョブ切替の開始時に、前記印刷機（１）において実行中の準備プロセスを表示する別のマスクは、前記計算機（６）によって前記表示装置（５）に表示され、
前記印刷機（１）の前記印刷機構（２）における前記光信号装置（７）により、対応する前記準備プロセスが、適合された色で表示されることを特徴とする、
請求項５記載の印刷機（１）。
【請求項７】
手動の準備プロセスは、自動の準備プロセスとは異なる色で、前記表示装置（５）および前記印刷機構（２）の前記光信号装置（７）に表示されることを特徴とする、
請求項６記載の印刷機（１）。
【請求項８】
印刷ジョブ切替後の印刷ジョブの製造の立ち上がりまでの調整フェーズ中、特に、インキ調量および色測定結果を表示する領域を表示するマスクは、前記計算機（６）によって前記ユーザインタフェース（８）に表示されることを特徴とする、
請求項４から７までのいずれか１項記載の印刷機（１）。
【請求項９】
実行中の印刷ジョブの製造において、色測定値を含みかつ前記印刷機（１）の前記印刷機構（２）におけるインキ調量要素の開度を表示するマスクは、前記計算機（６）によって、前記表示装置（５）の前記ユーザインタフェース（８）に表示されることを特徴とする、
請求項４から８までのいずれか１項記載の印刷機（１）。
【請求項１０】
印刷ジョブの製造中に、測定装置によって特定した測定値に基づき、印刷した印刷物と印刷原稿との間の印刷品質についての偏差を表示しかつ前記印刷機（１）の設定の変更を補助手段として提案するマスクは、前記計算機（６）によって、前記表示装置（５）の前記ユーザインタフェース（８）に表示されることを特徴とする、
請求項４から９までのいずれか１項記載の印刷機（１）。
【考案の詳細な説明】
【技術分野】
【０００１】
本考案は、印刷機構と、計算機と、表示装置と、を備えた印刷機に関し、印刷機構は、計算機に接続されている光信号装置を有し、計算機は、表示装置に接続されている。
【背景技術】
【０００２】
日本の特開２００９−２０２３７８号公報からは、印刷機構に照明装置が取り付けられた印刷機が公知である。印刷機構の照明装置は、印刷機の状態をオペレータに明確に示そうとするものであり、オペレータは、このオペレータが印刷機からすこし離れている場合であっても、印刷機の照明装置を識別可能である。ここでは、印刷機の印刷機構の側壁に照明装置が取り付けられており、また複数のセンサを介して印刷機の目下の動作状態が検出されて制御計算機に転送される。この制御計算機それ自体は、例えばそれぞれ印刷機構における残りのインキ量を表示する、印刷機構の照明装置を制御する。このインキ量の表示は、センサによって印刷機の制御計算機に供給される情報に基づいて行われる。この印刷機の欠点は、印刷機構における情報の表示が、印刷機の他の操作要素、特に、ディスプレイなどの表示装置と関係していないことである。
【０００３】
独国特許発明第１０３３９５７１号明細書からはさらに、少なくとも１つの制御計算機を備えた印刷機におけるジョブ切替の際に最適な手順を特定する方法が公知である。ここでは、制御計算機により、第１の機械ジョブのデータと後続する機械ジョブのデータとが比較され、この比較を用いて、ジョブ切替のときに順番に行われる作業の順序が計算される。オペレータは、ジョブ切替を実行するために、計算した作業フローの順序に基づき、この作業フローによって視覚的にガイドされる。この作業フローは、印刷機に取り付けられている表示装置において視覚的に実行される。
【考案の概要】
【考案が解決しようとする課題】
【０００４】
本考案の課題は、印刷機オペレータに対する操作ガイドを最適化することにより、印刷機における停止時間を減少させ、印刷機における操作処理を最適化することである。
【課題を解決するための手段】
【０００５】
この課題は、本考案により、請求項１によって解決される。本考案の有利な実施形態は、従属請求項、説明および図から得られる。印刷機は、オフセット印刷機、インクジェット印刷機、または印刷機構のような印刷装置が少なくとも備え付けられた任意の印刷技術を有する別の印刷機であってよい。この印刷機は、ディスプレイのような表示装置と、印刷機の印刷機構における光信号装置とに少なくとも接続されている計算機を有する必要がある。これにより、計算機は、光信号装置における表示プロセスおよび表示装置における表示プロセスを連係させかつ制御することができる。本考案によって規定されるのは、計算機により、表示装置における印刷機の動作状態の表現が、印刷機構の光信号装置における動作状態の表示に色を適合させて行われるように印刷機が構成されていることである。このことが意味するのは、印刷機の動作状態が、例えば印刷機のディスプレイのような表示装置においても、それぞれの印刷機構の光信号装置における動作状態と同じまたは少なくとも類似の色で印刷機オペレータに表示されることである。これにより、ディスプレイにおける動作状態の表示と、それぞれの印刷機構における動作状態の表示と、が色を適合させて表示することによって、視覚的に連係され、これにより、オペレータに対し、取り違えがほとんど回避される。最適には、光信号装置における色による表示および表示装置における色による表示は、正確に同じ色調で行われるが、取り違いに結びつかない色調の所定の偏差は、十分に許容される。
【０００６】
本考案の第１実施形態において規定されるのは、印刷機構における光信号装置により、同時または交互に複数の動作状態が異なる色で表示されることである。印刷機の動作状態に応じて、１つの印刷機構では複数のアクションがかかわっているか、または実行されることがある。これらの複数のアクションを１つの印刷機構において表示できるようにするために考えられるのは、光信号装置を同時または交互に異なる色で表示することである。同時に表示する際に、このことが意味するのは、光信号装置が、２つ以上の領域に分割され、特定の動作状態に対応付けられている異なる色が、それぞれの領域に表示されることである。例えば、１つの印刷機構において、状態「印刷ジョブ切替による準備」および「手動の介入が必要」を２つの異なる色で同時に表示可能である。さらに、時間間隔で色を変えることにより、印刷機構の光信号装置において異なる色を交互に表示することも可能であり、特に、脈動、すなわち高速に色を変えることも可能である。
【０００７】
本考案の特に有利な一実施形態において規定されるのは、光信号装置が、多色ＬＥＤストリップライトであることである。最新の多色ＬＥＤは、これが、ほとんど任意に変形可能であり、エネルギ消費が少なく、また広い色スペクトルを形成できるという大きな利点を有する。これによって可能になるのは、ほとんど任意に成形した光信号装置を印刷機構に取り付け、これをほとんど任意個の色で光らせることである。それぞれの色には１つの動作状態が対応付けられるため、ほとんど任意に多く動作状態を、異なる色で表示可能である。このときに重要であるのは、オペレータが、異なる動作状態の色を視覚的にも区別でき、これによって取り違えが生じないことだけである。ＬＥＤは、多色信号装置において、複数のＬＥＤを備えかつ所定の幅および所定の長さを有するアレイとして横にまた上下に並べて配置することも可能であり、これにより、矢印または別のシンボルを色で表示することが可能である。
【０００８】
本考案の一発展形態または択一的な一実施形態において規定されるのは、少なくとも１つのマスクを備えたユーザインタフェースが表示装置に表示されることであり、ここではマスクの１つの領域に時間線が設けられており、この時間線により、印刷機に対応付けられている、印刷ジョブキュー内の印刷ジョブが時系列に表示される。表示装置は、純粋な表示装置として、特に大型のウォールスクリーンとして、印刷機のコントロールパネルにおいて実施可能であるが、別体のタッチスクリーンであってもよく、このタッチスクリーンは、印刷機のオペレータの入力と共にユーザインタフェースを受け取る。ユーザインタフェースは、モバイルでの使用を可能にするためにスマートフォン、タブレットなどのモバイル装置において動作してもよい。したがってユーザインタフェースは、直接の入力を可能にするか、またはマウスまたはキーボードのような別の入力装置を介して制御される単なるディスプレイとして利用可能である。この場合、表示装置のユーザインタフェースにおけるマスクの領域には持続的に時間線が設けられており、この時間線により、印刷機に対応付けられる、印刷ジョブキュー内の印刷ジョブが時系列に表示される。これにより、印刷機のオペレータは、どの印刷ジョブが処理され、どの印刷ジョブがまだ列に並んで待機し、またどの印刷ジョブがすでに処理済であるかを常に見ることができる。この印刷ジョブキューは、好ましくは、動作状態「本刷り動作」をシグナリングするために印刷機構において利用される同じ色で表示される。本考案のこの特徴は、色の付いた信号要素およびユーザインタフェースの調整した着色と組み合わせることができるが、しかしながらこの特徴は、色の調整がなくても機能する。
【０００９】
本考案の別の有利な一実施形態において規定されるのは、ユーザインタフェースには、実行中の印刷ジョブの性質と、次の印刷ジョブの性質と、を表示する領域を有するマスクが含まれており、実行中の印刷ジョブと次の印刷ジョブとの間のジョブ切替の処理のための提案であって、オペレータによる手動の介入が含まれる提案が、計算機によってユーザインタフェースに表示されることである。印刷ジョブ切替が列に並んで待機している場合には常に、ユーザインタフェースに適時にマスクが挿入される。このマスクには、いまなお実行中の印刷ジョブならびに次の印刷ジョブの版、印刷インキ、基材、クライアントの名前などの性質が挿入される領域が含まれており、これにより、オペレータは、実行中の印刷ジョブと次の印刷ジョブとの間の印刷ジョブ切替の際に何が変わるかを直接、見ることができる。さらに、マスクには、実行中の印刷ジョブと次の印刷ジョブとの間の印刷ジョブ切替を処理するための、オペレータによる手動の介入を含む提案が示される。印刷機のオペレータが、必要な手動の介入を正しく行えるようにするために、このオペレータには、印刷機の計算機により、印刷ジョブ切替を処理するための対応する提案が、ディスプレイにも同様に表示され、これにより、このオペレータは、間近に迫った手動の介入に対して最適に備えることができる。この場合、付加的には、表示装置のユーザインタフェースと、それぞれの印刷機構における光信号装置と、において、対応する同じ色により、この手動の介入をシグナリング可能である。
【００１０】
さらに、有利に規定されるのは、ジョブ切替の開始時に、印刷機において実行中の準備プロセスを表示する別のマスクが、計算機によって表示装置に表示され、印刷機の印刷機構における光信号装置により、対応する準備プロセスが、適合された色で表示されることである。この実施形態では、ジョブ切替の開始時に、印刷機において実行中の準備プロセスを表示する別のマスクが次に表示されることにより、マスクが変更される。ここでも、対応する準備プロセスは、ユーザインタフェースと、印刷機構の光信号装置と、において、互いに色が調整される。有利には、マスクには、対応する印刷機構において列に並んで待っている次の準備プロセスだけがそれぞれ表示され、印刷機のこれに関連する印刷機構において、適合された色でシグナリングされ、これにより、印刷工は、最適にガイドされ、準備プロセスだけに取り組めばよく、またどの印刷機構においてこの準備プロセスを実行しなければならないかがわかる。
【００１１】
本考案の別の一実施形態において規定されるのは、手動の準備プロセスが、自動の準備プロセスとは異なる色で、表示装置および印刷機構の光信号装置に表示されることである。本考案のこの実施形態では、手動の準備プロセスと自動の準備プロセスとの間で色が異なる。これにより、オペレータには、第１には、自分がどの印刷機構において手動の準備プロセスを行わなければならないがわかり、第２には、別の印刷機構のところにいる場合に、別の色によってこのオペレータに指示されるのは、この別の印刷機構においても準備プロセスは実行されるが、このオペレータが、この別の印刷機構では手動で介入する必要がないことである。
【００１２】
本考案の別の一実施形態において規定されるのは、印刷ジョブ切替後の印刷ジョブの製造の立ち上がりまでの調整フェーズ中、特に、インキ調量および色測定結果を表示する領域を表示するマスクが、計算機によってユーザインタフェースに表示されることである。オペレータを最適にガイドするために、印刷ジョブの製造の立ち上がりまでの調整フェーズ中、この調整フェーズ中の重要な情報を表示する別のマスクがユーザインタフェースに表示される。このマスクには、特に、インキ調量および色測定結果を表示するための領域が含まれている。印刷ジョブの製造の立ち上がりまでの調整フェーズ中、印刷機は安定状態にないため、例えば、画像検査装置、または対応する色測定結果を印刷機の計算機に伝達する色測定装置によって印刷物の製造を監視しなければならない。この色測定結果は、次に、調整フェーズ中にマスクに表示され、これにより、印刷工は、色測定結果が所望の範囲内にあるか否かを見分ける。同様に有利であるのは、特に、オフセット印刷機におけるゾーン状のインキ装置においてインキ調量をオペレータに表示する場合であり、これにより、オペレータには、ユーザインタフェースにおけるマスクに、印刷機構における個々のインキゾーンの開度が常に見える。これにより、色測定結果と、印刷機におけるインキ調量要素の開度と、を同じマスクに直接、並べることができ、オペレータにとっての全体的な見通しが格段に向上する。
【００１３】
さらに、有利に規定されるのは、実行中の印刷ジョブの製造において、色測定値を含みかつ印刷機の印刷機構におけるインキ調量要素の開度を表示するマスクが、計算機によって、表示装置のユーザインタフェースに表示されることである。製造の立ち上がりまでの調整フェーズを、実行中の製造から完全に分離するために、好ましくは、実行中の製造だけに使用されかつここでも対応する色測定値と印刷機の印刷機構におけるインキ調量要素の開度とを表示する別のマスクがユーザインタフェースに表示される。これにより、オペレータには、自分が、印刷ジョブの実行中の製造の状態にあり、また今、実行中の印刷ジョブの印刷品質を監視していることが直ちにわかる。
【００１４】
本考案の別の一実施形態において規定されるのは、印刷ジョブの製造中に、測定装置によって特定した測定値に基づき、印刷した印刷物と印刷原稿との間の印刷品質についての偏差を表示しかつ印刷機の設定の変更を補助手段として提案するマスクが、計算機によって、表示装置のユーザインタフェースに表示されることである。この場合、印刷ジョブの製造中、印刷原稿のデジタルデータと、測定装置によって特定した測定値と、の間の目標値／実際値比較が実行され、対応する偏差がマスクに表示される。偏差が許容されない場合、マスクには、印刷機の設定の変更により、印刷原稿からの偏差がどのように最小化され得るかが表示される。これにより、印刷工は、印刷ジョブの製造中に同じマスクにおいて、測定値も、偏差が許容されない場合の設定の変更のための提案も共に、自分の目の前に見ることができ、同様に印刷機の設定の変更のための提案も、ユーザインタフェースの同じマスクまたは別のマスクにおいて行うことが可能である。
【００１５】
以下では、３つの図に基づき、本考案を詳述して説明する。
【図面の簡単な説明】
【００１６】
【図１】光信号装置を備えた複数の印刷機構と、計算機と、印刷機における表示装置と、を有するオフセット枚葉紙印刷機を示す図である。
【図２】印刷ジョブ切替をスタートさせた後の印刷機の表示装置におけるユーザインタフェースの操作マスクを示す図である。
【図３】印刷ジョブの製造が立ち上がるまでの調整フェーズにおけるユーザインタフェースのマスクを示す図である。
【考案を実施するための形態】
【００１７】
図１には、例示的に、枚葉紙オフセット印刷機１が描かれており、この枚葉紙オフセット印刷機１は、６つの印刷機構２と、給紙部３と、排紙部４と、操作セクション５と、を有する。ディスプレイの形態の表示装置を有する操作セクション５を用いて、印刷機全体または印刷機の複数の部分を制御可能である。付加的には、図１に描かれていないウォールスクリーンのような大型のディスプレイを設けることも可能である。操作セクション５は、印刷機１を制御する制御計算機６に接続されている。制御計算機６は、印刷機構２も、給紙部３および排紙部４も共に制御する。それぞれの印刷機構２には、種々異なる色で光ることができるＬＥＤ発光ストライプ７が取り付けられている。ＬＥＤ発光ストライプ７も同様に制御計算機６に接続されており、これにより、制御計算機６は、ＬＥＤ発光ストライプ７の色を相応に駆動制御可能である。発光ストライプ７は、関連する印刷機構２の動作状態に応じて異なる色を表示する。例えば、本刷り動作は、青色で表示されるのに対し、自動準備プロセスは、緑色で表示される。印刷機構２においてオペレータによる手動の介入が必要な場合、関連するＬＥＤ発光ストライプ７は黄色に光る。操作セクション５のディスプレイには、関連する印刷機構２のＬＥＤ発光ストライプ７と同じ色で、対応するマシン状態が表示される。これにより、オペレータは、印刷機構２の表示と、操作セクション５における表示と、を色で視覚的に明らかに対応付けることが可能である。印刷機構２において複数の動作状態を表示しようとする場合、ＬＥＤ発光ストライプ７が、交互に相前後して異なる色を表示するか、または少なくとも２つの領域において、印刷機１の異なる状態に対応付けされている異なる色を同時に表示するようにＬＥＤ発光ストライプ７を駆動制御することが可能である。これにより、印刷機構２において１つのＬＥＤ発光ストライプ７を用いて複数の動作状態を同時に表示可能である。
【００１８】
図２および図３には、操作セクション５に表示されるユーザインタフェース８が描かれている。ユーザインタフェース８を用いて、印刷機１が制御される。このために、現在のマシン状態についての関連するプロセス指示が、ユーザインタフェース８において、常にオペレータに表示される。このシステムは、オペレータをガイドし、必要な次のステップを自動的に提案する。オペレータが、全体的な見通しを失わないようにするために、印刷機１における都度のプロセスに合わせて、対応するマスクがユーザインタフェース８に表示され、これにより、オペレータには、印刷機１において今、どのプロセスがかかわっているかが常にわかる。印刷機構２におけるＬＥＤ発光ストライプ７との連係において、印刷機１の現在の動作状態は、例えば、印刷工、補助作業員、印刷マネージャなどの印刷プロセスに関与するすべての人員に引き続いて見えるようにされる。さらに、ユーザインタフェース８には、印刷ジョブキューを有する領域１３が設けられており、この領域１３により、列に並んで待機している印刷ジョブが、時間線において時系列で持続的に表示される。これにより、印刷機１のオペレータには、今、どの印刷ジョブを処理し終えたか、どの印刷ジョブをなお処理しなければならないか、かつ今、どの印刷ジョブを印刷機１において処理するかが常にわかる。印刷機１における都度のプロセスに応じてオペレータに表示されるマスクは、それ自体は操作できず、オペレータの情報だけに利用される。印刷機１における調整は、オペレータにより、マスクからは分離されている、操作セクション５の対応する操作メニューだけを介して行われる。
【００１９】
図２には、ユーザインタフェース８におけるマスクが描かれており、このマスクは、印刷ジョブ切替の開始時に自動的に表示される。ここで識別できるのは、マスクの下側の領域に印刷ジョブキュー１３が常に表示され、これにより、オペレータは、印刷機１において列に並んで待機している印刷ジョブについての全体的な見通しを常に保持することである。さらに、領域１１が設けられており、この領域１１により、印刷ジョブ切替前の印刷ジョブの性質およびデータが表示されるのに対し、領域１２により、印刷ジョブ切替後の印刷ジョブの性質およびデータが表示される。これにより、オペレータには、印刷ジョブ切替を実行できるようにするために、印刷機１のどの設定を変更しなければならないかがわかる。さらに、マスクには領域１０が設けられており、この領域１０により、印刷ジョブ切替中に印刷機構２において進行するプロセスが示される。ここでは印刷機構２において進行するプロセスは、これらのプロセスがそれぞれの印刷機構２においても、ＬＥＤ発光ストライプ７によってシグナリングされるのと同じ色でマスクに表示される。この領域の上方では、領域９に印刷機１が描かれており、これにより、この印刷機１には、印刷ジョブ切替の際の表示装置５における複数の印刷機構において色でマークが付けられた複数のプロセスと、印刷機１におけるそれぞれの印刷機構２と、の間の付加的な対応付けが与えられる。ここでは印刷機構２において実行中の準備プロセスが緑色で表示されるのに対し、手動の介入の際には、それぞれの印刷機構およびそれぞれプロセスは黄色で色付けされる。
【００２０】
図３には、次の印刷ジョブの立ち上がりまでの調整フェーズの間に表示される別のマスクがユーザインタフェース８に描かれている。このマスクは、いわゆる微調整準備マスクとも称され、２つの状態から構成され、第１の印刷機構２が印刷に切り換えられる場合、第１の印刷機構２と共に開始される。第１状態には、製造された印刷物の、色測定装置による最初の測定までの印刷機１の始動が含まれており、印刷ジョブのプレビュー画像１４が、印刷機１のインキゾーンプロフィールで表示され、また印刷切替、機械設定、およびそれぞれのインキレジスタが表示されている。第２状態は、最初の測定からＯＫシートの開始まで表示される。次に、インキゾーン表示は、測定結果に置き換えられる。残りの表示はそのままである。色測定装置のない印刷機１を動作させる場合、マスクは、第１状態に留まる。
【００２１】
ＯＫシートが検出されると直ちに、マスクは、製造の状態に切り替わり、色測定装置が設けられている場合には、印刷品質管理が行われ、ここでは測定結果が、印刷原稿と比較されてマスクに表示される。
【００２２】
さまざまなマスクによるコンセプトの利点は、操作セクション５およびオペレータのユーザインタフェース８において、オペレータには常に、印刷機１におけるプロセスに都度適切なマスクだけが表示され、オペレータが、印刷機１における複数のプロセスを通して、動的にガイドされることである。オペレータは、情報の洪水に見舞われるのではなく、いままさに印刷機１において進行しているプロセスに合った情報だけに向き合う。これにより、操作は直感的に構成され、オペレータによる誤操作が回避される。これにより、印刷機１の停止時間が減少し、製造の確実性が向上する。
【符号の説明】
【００２３】
１  印刷機
２  印刷機構
３  給紙部
４  排紙部
５  操作セクション
６  制御計算機
７  ＬＥＤ発光ストライプ
８  ユーザインタフェース
９  マシン用の領域
１０  印刷機構におけるプロセス用の領域
１１  印刷ジョブ切替前用の領域
１２  印刷ジョブ切替後用の領域
１３  印刷ジョブキュー
１４  印刷プレビュー
【図１】
0003228558.tif 000003
【図２】
0003228558.tif 000004
【図３】
0003228558.tif 000005